(57)【要約】【課題】通信装置の使用中に何らかのエラーが発生してエラー内容が表示されても、コンテンツ要約情報を視認することができる通信装置を提供すること。【解決手段】多機能機１０によれば、フィード情報の取得に失敗した場合およびフィード情報を解析して作成される表示情報の作成に失敗した場合には、それらの失敗を示すエラーの内容（エラータイトル文字列１４８、エラー発生日時情報１５０、エラー要約文字列１５２およびエラーＵＲＬ１５４）を、表示情報１１２に付加する。よって、更新コンテンツ情報１３２に含まれる各情報と共に、エラーの内容を、表示パネル５０にスクロール表示ことができる。従って、多機能機１０の使用中に上述した失敗に起因するエラーが発生し、エラーの内容が表示されても、ユーザは、更新コンテンツ情報１３２に含まれる各情報を視認することができる。【選択図】図７
2010087906.tif 000002
【特許請求の範囲】
【請求項１】
コンテンツのタイトルを少なくとも含むコンテンツ要約情報の位置情報である要約位置情報にアクセス可能な通信装置であって、
前記要約位置情報を記憶可能な位置情報記憶手段と、
その位置情報記憶手段に記憶された要約位置情報にアクセスして、前記コンテンツ要約情報を取得する要約情報取得手段と、
その要約情報取得手段により取得されたコンテンツ要約情報に含まれるコンテンツの少なくともタイトルを記憶する要約情報記憶手段と、
その要約情報記憶手段に記憶されたコンテンツの少なくともタイトルを順次切り換えて表示するタイトル表示手段と、
前記通信装置に発生したエラーを検出する検出手段と、
その検出手段により前記エラーが検出された場合に、その検出されたエラーの種別を特定する特定手段と、
その特定手段により特定される前記エラーの内容を記憶するエラー内容記憶手段と、
そのエラー内容記憶手段からエラーの内容を取得するエラー内容取得手段と
そのエラー内容取得手段により取得されたエラーの内容を前記コンテンツのタイトルの記憶形式と同一の形式で前記要約情報記憶手段に記憶させることで、前記エラー内容を前記タイトル表示手段に表示させる制御手段とを備えていることを特徴とする通信装置。
【請求項２】
前記要約情報記憶手段は、前記各コンテンツのタイトルとエラー内容との各情報を記憶可能な最大数が予め定められており、
前記制御手段は、
前記検出手段により前記エラーが検出され、前記エラー内容取得手段によりエラーの内容が取得された場合に、前記要約情報記憶手段に記憶される各情報の合計が前記最大数であるかを判定する最大数判定手段と、
その最大数判定手段により前記要約情報記憶手段に記憶される各情報の合計が前記最大数未満であると判定された場合に、前記エラー内容取得手段により取得されたエラーの内容を前記要約情報記憶手段に記憶されている各情報に追加して記憶させる追加記憶手段を備えていることを特徴とする請求項１記載の通信装置。
【請求項３】
日時を計時する時計手段を備え、
前記検出手段は、前記エラーが検出された場合に前記時計手段の日時を取得する日時取得手段を備え、
前記追加記憶手段は、前記日時取得手段により取得された日時をエラー日時情報として、前記エラー内容取得手段により取得されたエラーの内容に対応付けて、前記要約情報記憶手段に記憶させる対応追加記憶手段を備えていることを特徴とする請求項２記載の通信装置。
【請求項４】
前記要約情報取得手段により取得されるコンテンツ要約情報は、各コンテンツのタイトルに加え、そのタイトルが更新された日時を示す日時情報を含んでおり、
前記要約情報記憶手段は、前記各コンテンツのタイトルに対応付けて前記日時情報を記憶するものであり、
前記制御手段は、前記エラー内容取得手段により取得されたエラーの内容を、前記要約情報記憶手段に記憶されている各情報に追加して記憶させるか、或いは前記要約情報記憶手段に記憶されているエラー内容に上書きして記憶させるかを受け付ける記憶受付手段を備え、
その記憶受付手段により前記エラーの内容を追加して記憶させると受け付けられ、且つ、前記検出手段により前記エラーが検出された場合において、
前記対応追加記憶手段は、
前記エラー内容取得手段によりエラーの内容が取得されることで、前記最大数判定手段による判定が行われ、前記要約情報記憶手段に記憶される各情報の合計が前記最大数であると判定された場合に、その要約情報記憶手段に記憶された前記日時情報およびエラー日時情報により示される日時から最古の日時を特定する最古特定手段と、
その最古特定手段により最古の日時が特定された場合に、その最古の日時と、その最古の日時に対応付けられた各コンテンツのタイトルまたはエラーの内容のいずれかとを、少なくとも、前記要約情報記憶手段から削除する削除手段と、
その削除手段による削除の後に、前記エラー内容取得手段により取得されたエラーの内容を、前記検出手段により前記エラーが検出されたときに前記日時取得手段が取得したエラー日時情報に対応付けて、前記要約情報記憶手段に記憶させる削除記憶手段を備えていることを特徴とする請求項３記載の通信装置。
【請求項５】
前記記憶受付手段により前記エラーの内容を上書きして記憶させると受け付けられ、且つ、前記検出手段により前記エラーが検出された場合において、
前記制御手段は、
前記エラー内容取得手段によりエラーの内容が取得されると、前記要約情報記憶手段に前記エラーの内容が記憶されているかを判定する記憶判定手段と、
その記憶判定手段により前記要約情報記憶手段に前記エラーの内容が記憶されていないと判定された場合には、前記記憶受付手段により前記エラーの内容を上書きして記憶させると受け付けられていても、前記対応追加記憶手段によって、前記エラー内容取得手段により取得されたエラーの内容を、前記要約情報記憶手段に記憶されている各コンテンツのタイトルに追加して記憶させる変更制御手段を備えていることを特徴とする請求項４記載の通信装置。
【請求項６】
前記制御手段は、
前記記憶判定手段により前記要約情報記憶手段に前記エラーの内容が記憶されていると判定された場合には、前記エラー内容取得手段により取得されたエラーの内容と、前記検出手段により前記エラーが検出されたときに前記日時取得手段が取得した日時であるエラー日時情報とを、前記記憶判定手段により前記要約情報記憶手段に記憶されていると判定されたエラーの内容と、そのエラーの内容に対応付けられたエラー日時情報とに上書きして、前記要約情報記憶手段に記憶させる上書記憶手段を備えていることを特徴とする請求項５記載の通信装置。
【請求項７】
前記記憶判定手段は、
前記エラー内容取得手段によりエラーの内容が取得されると、前記要約情報記憶手段に記憶されたエラー日時情報および日時情報により示される日時から最新の日時を特定する最新日時特定手段と、
その最新日時特定手段により特定された最新の日時を示す情報がエラー日時情報であるかを判定する内容判定手段と、
その内容判定手段により前記最新の日時を示す情報がエラー日時情報であると判定された場合に、前記要約情報記憶手段に前記エラーの内容が記憶されていると判定するものであることを特徴とする請求項５または６に記載の通信装置。
【請求項８】
前記検出手段により検出されるエラーが未検出となった場合に、前記要約情報記憶手段に前記エラーの内容が記憶されていれば、その記憶されたエラーの内容を消去するかを受け付ける受付手段と、
前記要約情報記憶手段にエラーの内容が記憶されているかを判定するエラー記憶判定手段と、
そのエラー記憶判定手段によりエラーの内容が前記要約情報記憶手段に記憶されていると判定され、且つ、前記受付手段により前記エラーの内容の消去が受け付けられている場合には、前記要約情報記憶手段に記憶されたエラーの内容を、そのエラーの内容に対応付けて記憶されているエラー日時情報と共に消去する消去手段とを備えていることを特徴とする請求項１から７のいずれかに記載の通信装置。
【請求項９】
前記検出手段は、前記要約情報取得手段による前記コンテンツ要約情報の取得不能によって発生するエラーと、前記要約情報取得手段によって取得された前記コンテンツ要約情報の前記要約情報記憶手段への記憶不能によって発生するエラーとを検出するものであり、
前記特定手段は、前記検出手段により前記エラーが検出された場合に、前記コンテンツ要約情報の取得不能によって発生するエラーか、或いは前記コンテンツ要約情報の前記要約情報記憶手段への記憶不能によって発生するエラーかを特定することで、前記エラーの種別を特定するものであることを特徴とする請求項１から８のいずれかに記載の通信装置。
【発明の詳細な説明】
【技術分野】
【０００１】
本発明は、通信装置に関するものである。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、サーバのＵＲＬにアクセスし、そのサーバからフィード情報を取得して各コンテンツのタイトルを生成し、表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。    
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００３】
上述した非特許文献１に開示されたソフトウェアを、プリンタ機能やスキャナ機能を有する多機能機に応用し、各コンテンツのタイトルを多機能機の表示装置にスクロール表示させる場合には、次の問題点がある。即ち、前述した多機能機では、使用中に何らかの障害（エラー）が発生した場合、それをユーザに確実に認識させるために、表示装置の画面全体を使用してエラーの内容を示すエラーメッセージを表示したり、或いは、表示装置の画面にエラーメッセージのみを表示するのが一般的である。そして、このエラーメッセージは、発生したエラーが解消されるまで、表示装置に継続して表示させるのが一般的である。よって、多機能機の使用中に何らかのエラーが発生すると、そのエラーが解消されるまで、表示装置の画面がエラーメッセージに占有されてしまう。従って、エラーメッセージは視認できる一方で、各コンテンツのタイトルは視認することができないという問題点があった。
【０００４】
本発明は上述した問題点を解決するためになされたものであり、通信装置の使用中に何らかのエラーが発生してエラー内容が表示されても、コンテンツ要約情報を視認することができる通信装置を提供することを目的とする。
【課題を解決するための手段】
【０００５】
この目的を達成するために請求項１記載の通信装置は、コンテンツのタイトルを少なくとも含むコンテンツ要約情報の位置情報である要約位置情報にアクセス可能なものであり、前記要約位置情報を記憶可能な位置情報記憶手段と、その位置情報記憶手段に記憶された要約位置情報にアクセスして、前記コンテンツ要約情報を取得する要約情報取得手段と、その要約情報取得手段により取得されたコンテンツ要約情報に含まれるコンテンツの少なくともタイトルを記憶する要約情報記憶手段と、その要約情報記憶手段に記憶されたコンテンツの少なくともタイトルを順次切り換えて表示するタイトル表示手段と、前記通信装置に発生したエラーを検出する検出手段と、その検出手段により前記エラーが検出された場合に、その検出されたエラーの種別を特定する特定手段と、その特定手段により特定される前記エラーの内容を記憶するエラー内容記憶手段と、そのエラー内容記憶手段からエラーの内容を取得するエラー内容取得手段とそのエラー内容取得手段により取得されたエラーの内容を前記コンテンツのタイトルの記憶形式と同一の形式で前記要約情報記憶手段に記憶させることで、前記エラー内容を前記タイトル表示手段に表示させる制御手段とを備えている。
【０００６】
なお、要約位置情報は、コンテンツ要約情報の位置を特定することができるあらゆる情報を含む概念である。要約位置情報の一例として、例えば、ＵＲＬ（Ｕｎｉｆｏｒｍ  Ｒｅｓｏｕｒｃｅ  Ｌｏｃａｔｏｒ）等を挙げることができる。また、タイトルは、コンテンツの全体の文字列よりも少ない文字列であって、コンテンツの内容を反映している文字列を意味している。
【０００７】
請求項２記載の通信装置は、請求項１記載の通信装置において、前記要約情報記憶手段は、前記各コンテンツのタイトルとエラー内容との各情報を記憶可能な最大数が予め定められており、前記制御手段は、前記検出手段により前記エラーが検出され、前記エラー内容取得手段によりエラーの内容が取得された場合に、前記要約情報記憶手段に記憶される各情報の合計が前記最大数であるかを判定する最大数判定手段と、その最大数判定手段により前記要約情報記憶手段に記憶される各情報の合計が前記最大数未満であると判定された場合に、前記エラー内容取得手段により取得されたエラーの内容を前記要約情報記憶手段に記憶されている各情報に追加して記憶させる追加記憶手段を備えている。
【０００８】
請求項３記載の通信装置は、請求項２記載の通信装置において、日時を計時する時計手段を備え、前記検出手段は、前記エラーが検出された場合に前記時計手段の日時を取得する日時取得手段を備え、前記追加記憶手段は、前記日時取得手段により取得された日時をエラー日時情報として、前記エラー内容取得手段により取得されたエラーの内容に対応付けて、前記要約情報記憶手段に記憶させる対応追加記憶手段を備えている。
【０００９】
請求項４記載の通信装置は、請求項３記載の通信装置において、前記要約情報取得手段により取得されるコンテンツ要約情報は、各コンテンツのタイトルに加え、そのタイトルが更新された日時を示す日時情報を含んでおり、前記要約情報記憶手段は、前記各コンテンツのタイトルに対応付けて前記日時情報を記憶するものであり、前記制御手段は、前記エラー内容取得手段により取得されたエラーの内容を、前記要約情報記憶手段に記憶されている各情報に追加して記憶させるか、或いは前記要約情報記憶手段に記憶されているエラー内容に上書きして記憶させるかを受け付ける記憶受付手段を備え、その記憶受付手段により前記エラーの内容を追加して記憶させると受け付けられ、且つ、前記検出手段により前記エラーが検出された場合において、前記対応追加記憶手段は、前記エラー内容取得手段によりエラーの内容が取得されることで、前記最大数判定手段による判定が行われ、前記要約情報記憶手段に記憶される各情報の合計が前記最大数であると判定された場合に、その要約情報記憶手段に記憶された前記日時情報およびエラー日時情報により示される日時から最古の日時を特定する最古特定手段と、その最古特定手段により最古の日時が特定された場合に、その最古の日時と、その最古の日時に対応付けられた各コンテンツのタイトルまたはエラーの内容のいずれかとを、少なくとも、前記要約情報記憶手段から削除する削除手段と、その削除手段による削除の後に、前記エラー内容取得手段により取得されたエラーの内容を、前記検出手段により前記エラーが検出されたときに前記日時取得手段が取得したエラー日時情報に対応付けて、前記要約情報記憶手段に記憶させる削除記憶手段を備えている。
【００１０】
請求項５記載の通信装置は、請求項４記載の通信装置において、前記記憶受付手段により前記エラーの内容を上書きして記憶させると受け付けられ、且つ、前記検出手段により前記エラーが検出された場合において、前記制御手段は、前記エラー内容取得手段によりエラーの内容が取得されると、前記要約情報記憶手段に前記エラーの内容が記憶されているかを判定する記憶判定手段と、その記憶判定手段により前記要約情報記憶手段に前記エラーの内容が記憶されていないと判定された場合には、前記記憶受付手段により前記エラーの内容を上書きして記憶させると受け付けられていても、前記対応追加記憶手段によって、前記エラー内容取得手段により取得されたエラーの内容を、前記要約情報記憶手段に記憶されている各コンテンツのタイトルに追加して記憶させる変更制御手段を備えている。
【００１１】
請求項６記載の通信装置は、請求項５記載の通信装置において、前記制御手段は、前記記憶判定手段により前記要約情報記憶手段に前記エラーの内容が記憶されていると判定された場合には、前記エラー内容取得手段により取得されたエラーの内容と、前記検出手段により前記エラーが検出されたときに前記日時取得手段が取得した日時であるエラー日時情報とを、前記記憶判定手段により前記要約情報記憶手段に記憶されていると判定されたエラーの内容と、そのエラーの内容に対応付けられたエラー日時情報とに上書きして、前記要約情報記憶手段に記憶させる上書記憶手段を備えている。
【００１２】
請求項７記載の通信装置は、請求項５または６に記載の通信装置において、前記記憶判定手段は、前記エラー内容取得手段によりエラーの内容が取得されると、前記要約情報記憶手段に記憶されたエラー日時情報および日時情報により示される日時から最新の日時を特定する最新日時特定手段と、その最新日時特定手段により特定された最新の日時を示す情報がエラー日時情報であるかを判定する内容判定手段と、その内容判定手段により前記最新の日時を示す情報がエラー日時情報であると判定された場合に、前記要約情報記憶手段に前記エラーの内容が記憶されていると判定するものである。
【００１３】
請求項８記載の通信装置は、請求項１から７のいずれかに記載の通信装置において、前記検出手段により検出されるエラーが未検出となった場合に、前記要約情報記憶手段に前記エラーの内容が記憶されていれば、その記憶されたエラーの内容を消去するかを受け付ける受付手段と、前記要約情報記憶手段にエラーの内容が記憶されているかを判定するエラー記憶判定手段と、そのエラー記憶判定手段によりエラーの内容が前記要約情報記憶手段に記憶されていると判定され、且つ、前記受付手段により前記エラーの内容の消去が受け付けられている場合には、前記要約情報記憶手段に記憶されたエラーの内容を、そのエラーの内容に対応付けて記憶されているエラー日時情報と共に消去する消去手段とを備えている。
【００１４】
請求項９記載の通信装置は、請求項１から８のいずれかに記載の通信装置において、前記検出手段は、前記要約情報取得手段による前記コンテンツ要約情報の取得不能によって発生するエラーと、前記要約情報取得手段によって取得された前記コンテンツ要約情報の前記要約情報記憶手段への記憶不能によって発生するエラーとを検出するものであり、前記特定手段は、前記検出手段により前記エラーが検出された場合に、前記コンテンツ要約情報の取得不能によって発生するエラーか、或いは前記コンテンツ要約情報の前記要約情報記憶手段への記憶不能によって発生するエラーかを特定することで、前記エラーの種別を特定するものである。
【発明の効果】
【００１５】
請求項１記載の通信装置によれば、検出手段がエラーの発生を検出すると、特定手段は、その発生したエラーの種別を特定する。すると、エラー内容取得手段は、特定手段により特定されたエラーの種別に対応して、エラー内容記憶手段からエラーの内容を取得する。そして、制御手段は、エラー内容取得手段により取得されたエラーの内容を各コンテンツのタイトルの記憶形式と同一の形式で要約情報記憶手段に記憶させることで、エラーの内容をタイトル表示手段に表示させる。よって、通信装置の使用中に何らかのエラーが発生してエラー内容が表示されても、コンテンツ要約情報を視認することができるという効果がある。
【００１６】
請求項２記載の通信装置によれば、請求項１記載の通信装置の奏する効果に加え、要約情報記憶手段に記憶される各情報の合計数が最大数未満であると最大数判定手段により判定された場合には、追加記憶手段は、エラー内容取得手段により取得されたエラーの内容を、要約情報記憶手段に記憶されている各情報に追加して記憶させる。よって、表示される各コンテンツのタイトル数を減らすことなく、エラーの内容をタイトル表示手段に表示させることができるという効果がある。
【００１７】
請求項３記載の通信装置によれば、請求項２記載の通信装置の奏する効果に加え、対応追加記憶手段は、エラー内容取得手段により取得されたエラーの内容に、日時取得手段により取得された日時をエラー日時情報として対応付けて、要約情報記憶手段に記憶させる。よって、タイトル表示手段に、エラーの内容に加え、そのエラーが発生した日時を表示することができるという効果がある。
【００１８】
請求項４記載の通信装置によれば、請求項３記載の通信装置の奏する効果に加え、記憶受付手段によりエラーの内容を追加して記憶させると受け付けられ、且つ、検出手段によりエラーが検出された場合において、最大数判定手段による判定が行われ、要約情報記憶手段に記憶される各情報の合計数が最大数であると判定されると、最古特定手段は、要約情報記憶手段に記憶された日時情報およびエラー日時情報により示される日時から最古の日時を特定する。最古特定手段により最古の日時が特定されると、削除手段は、その最古の日時と、その最古の日時に対応付けられた各コンテンツのタイトルまたはエラーの内容のいずれかとを、少なくとも、要約情報記憶手段から削除する。そして、削除手段による削除の後に、削除記憶手段は、エラー内容取得手段により取得されたエラーの内容を、検出手段によりエラーが検出されたときに日時取得手段が取得したエラー日時情報に対応付けて、要約情報記憶手段に記憶させる。よって、要約情報記憶手段に記憶される各情報の合計数が最大数である場合に、エラーが発生したときには、鮮度が最も低い情報（各コンテンツのタイトルまたはエラーの内容のいずれか）を優先的に削除して、発生したエラーの内容を表示することができるという効果がある。
【００１９】
請求項５記載の通信装置によれば、請求項４記載の通信装置の奏する効果に加え、記憶受付手段によりエラーの内容を上書きして記憶させると受け付けられ、且つ、検出手段によりエラーが検出された場合において、エラー内容取得手段によりエラーの内容が取得されると、記憶判定手段は、要約情報記憶手段にエラーの内容が記憶されているかを判定する。記憶判定手段により要約情報記憶手段にエラーの内容が記憶されていないと判定された場合には、変更制御手段は、記憶受付手段によりエラーの内容を上書きして記憶させると受け付けられていても、対応追加記憶手段によって、エラー内容取得手段により取得されたエラーの内容を、要約情報記憶手段に記憶されている各コンテンツのタイトルに追加して記憶させる。つまり、エラーの内容を上書きして記憶させると受け付けられていても、エラーの内容を上書きできない場合には、取得されたエラーの内容を、要約情報記憶手段に記憶されている各コンテンツのタイトルに追加して記憶させる。よって、要約情報記憶手段にエラーの内容を確実に記憶させることができるという効果がある。
【００２０】
請求項６記載の通信装置によれば、請求項５記載の通信装置の奏する効果に加え、記憶判定手段により要約情報記憶手段にエラーの内容が記憶されていると判定された場合には、上書記憶手段は、エラー内容取得手段により取得されたエラーの内容と、検出手段によりエラーが検出されたときに日時取得手段が取得した日時であるエラー日時情報とを、記憶判定手段により要約情報記憶手段に記憶されていると判定されたエラーの内容と、そのエラーの内容に対応付けられたエラー日時情報とに上書きして、要約情報記憶手段に記憶させる。よって、新たに発生したエラーの内容とその日時とを、以前に発生したエラーの内容とその日時とに確実に上書きすることができるという効果がある。
【００２１】
請求項７記載の通信装置によれば、請求項５または６に記載の通信装置の奏する効果に加え、最新日時特定手段は、エラー内容取得手段によりエラーの内容が取得されると、要約情報記憶手段に記憶されたエラー日時情報および日時情報により示される日時から最新の日時を特定する。そして、内容判定手段は、最新日時特定手段により特定された最新の日時を示す情報がエラー日時情報であるかを判定する。ここで、要約情報記憶手段にコンテンツ要約情報が記憶された後にエラーが発生した場合には、要約情報記憶手段に記憶されたエラー日時情報は、コンテンツ要約情報が含む何れの日時情報よりも最新の日時を示す。よって、記憶判定手段は、最新の日時を示す情報がエラー日時情報であると内容判定手段により判定されると、要約情報記憶手段にエラーの内容が記憶されていると判定する。このように、要約情報記憶手段にエラーの内容が記憶されているかを、最新の日時を示す情報がエラー日時情報であるかを調べるだけで、判定することができるという効果がある。
【００２２】
請求項８記載の通信装置によれば、請求項１から７のいずれかに記載の通信装置の奏する効果に加え、要約情報記憶手段にエラーの内容が記憶されているとエラー記憶判定手段により判定され、且つ、検出手段により検出されるエラーが未検出となった際にはエラーの内容の消去を行うことが受付手段により受け付けられている場合には、消去手段は、要約情報記憶手段に記憶されたエラーの内容を、そのエラーの内容に対応付けて記憶されているエラー日時情報と共に消去する。よって、検出手段により検出されるエラーが未検出となった場合には、要約情報記憶手段に記憶されたエラーの内容およびエラー日時情報を消去して、エラー内容およびエラー日時情報のタイトル表示手段への表示を終了させることができるという効果がある。
【００２３】
請求項９記載の通信装置によれば、請求項１から８のいずれかに記載の通信装置の奏する効果に加え、特定手段は、検出手段によりエラーが検出された場合に、コンテンツ要約情報の取得不能によって発生するエラーか、或いはコンテンツ要約情報の要約情報記憶手段への記憶不能によって発生するエラーかを特定する。よって、特定手段は、要約情報記憶手段に新たなコンテンツ要約情報を記憶することができないといった重大なエラーを特定することができるという効果がある。
【発明を実施するための最良の形態】
【００２４】
以下、本発明の好ましい実施形態について、添付図面を参照して説明する。図１は、本発明の一実施形態における多機能機システム２の概略を示した図である。多機能機システム２は、多機能機１０と複数のＰＣ７０，７１と複数のコンテンツ提供サーバ９０，９１とを備える。なお、図１では、１つの多機能機１０と２つのＰＣ７０，７１と２つのコンテンツ提供サーバ９０，９１としか示されていないが、これらの数は適宜変更することができる。
【００２５】
なお、本実施形態の多機能機１０では、フィード情報の取得に失敗した場合およびフィード情報を解析して作成される表示情報の作成に失敗した場合には、それらの失敗を示すエラーの内容を、表示情報１１２に付加する。よって、更新コンテンツ情報１３２に含まれる各情報と共に、エラーの内容を、表示パネル５０にスクロール表示することができる。従って、多機能機１０の使用中に上述した失敗に起因するエラーが発生し、エラーの内容が表示されても、ユーザは、更新コンテンツ情報１３２に含まれる各情報を視認することができる。なお、更新コンテンツ情報１３２に含まれる各情報とは、コンテンツタイトル文字列１４０、コンテンツ更新日時情報１４２、コンテンツ要約文字列１４４およびコンテンツＵＲＬ１４６（図４参照）を示している。また、エラーの内容とは、エラータイトル文字列１４８、エラー発生日時情報１５０、エラー要約文字列１５２およびエラーＵＲＬ１５４（図４参照）を示している。
【００２６】
図１に示す多機能機１０は、印刷機能、スキャナ機能、電話機能等を実現する通信装置であり、ＬＡＮ回線４に接続されている。各ＰＣ７０，７１は、多機能機１０の印刷機能やスキャナ機能を制御する制御装置であり、ＬＡＮ回線４に接続されている。ＬＡＮ回線４は、ルータ６を介してインターネット８に接続されている。各コンテンツ提供サーバ９０，９１は、インターネット８に接続されている。本実施形態では、コンテンツ提供サーバ９０が１つのサイトを公開しており、コンテンツ提供サーバ９１が他の１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２７】
次に、ＰＣ７０の内部構成について説明する。なお、ＰＣ７１は、ＰＣ７０と同様の内部構成であるので、その説明を省略する。ＰＣ７０は、ＣＰＵ７２とハードディスク７４と表示部８２と操作部８４を主に有する。なお、図１には示されていないが、ＰＣ７０は、ＬＡＮ回線４に接続されているネットワークインターフェイスも有している。
【００２８】
ＣＰＵ７２は、演算装置であり、基本プログラム７６および常駐ソフト７８に従って処理を実行する。ＣＰＵ７２が実行する処理については、図５を用いて後に詳しく説明する。ハードディスク７４は、基本プログラム７６および常駐ソフト７８を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。
【００２９】
常駐ソフト７８は、多機能機１０に、ＰＣ７０が起動したことを示すＰＣ起動通知を送信したり、多機能機１０からの指示に従って動作したりするためのプログラムである。ＰＣ起動通知については、後で詳しく説明する。常駐ソフト７８は、例えば、コンピュータ読取可能媒体からＰＣ７０にインストールされる。また、常駐ソフト７８は、例えば、インターネット８のサイトからダウンロードされてＰＣ７０にインストールされてもよい。
【００３０】
ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容の利用については、後で詳しく説明する。
【００３１】
表示部８２は、様々な情報を表示することができる。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００３２】
次に、図２を参照して多機能機１０について説明する。図２は、多機能機１０の電気的構成を示すブロック図である。多機能機１０は、制御部１２と表示パネル５０とキーパッド５２と印刷部５４とスキャン部５６とＦＡＸ部５８とネットワークインターフェイス（以後、「ネットワークＩ／Ｆ」と称す）６０とＰＳＴＮインターフェイス（以後、「ＰＳＴＮ  Ｉ／Ｆ」と称す）６２とスピーカ６４とを主に有する。なお、制御部１２と各部５０〜６４とは、バスライン６６を介して互いに接続されている。制御部１２は、ＣＰＵ１４とＲＯＭ１６とＲＡＭ１８とＮＶＲＡＭ２０を主に有する。
【００３３】
ＣＰＵ１４は、演算装置であり、ＲＯＭ１６に記憶されている各プログラム１６ａ〜１６ｅに従って処理を実行する。ＣＰＵ１４が実行する処理については、図６〜図１３を用いて後に詳しく説明する。ＲＯＭ１６は、各プログラム１６ａ〜１６ｆを記憶すると共に、エラー情報記憶領域１６ｆを有する書き込み不能な不揮発性のメモリである。
【００３４】
基本機能プログラム１６ａは、多機能機１０の基本的な動作を制御するためのプログラムである。基本機能プログラム１６ａは、例えば、表示パネル５０に表示される表示データを生成するためのプログラムを含んでいる。また、基本機能プログラム１６ａは、例えば、印刷部５４、スキャン部５６、ＦＡＸ部５８等の各部５０〜６４を制御するためのプログラムを含んでいる。インターネット接続プログラム１６ｂは、インターネット８に接続するためのプログラムである。
【００３５】
フィード情報解析プログラム１６ｃは、コンテンツ提供サーバ９０，９２から取得されるフィード情報を解析した上で、表示パネル５０で表示するための情報（以下、「表示情報」と称す）を作成する処理である多機能機フィード情報解析処理（図６参照）を実行するためのプログラムである。フィード情報表示プログラム１６ｄは、表示情報を表示するためのプログラムである。ＰＣ管理プログラム１６ｅは、ＰＣ７０，７１から送信されるＰＣ起動通知に従って処理を実行するためのプログラムである。より具体的に言うと、ＰＣ管理プログラム１６ｅは、ＰＣ起動通知の送信元のＰＣに関する情報（例えばＩＰアドレスやＰＣのホスト名）を、後述するＲＡＭ１８のＰＣ情報記憶領域１８ｃに記憶させるためのプログラムである。
【００３６】
エラー情報記憶領域１６ｆは、フィード情報の取得に失敗した場合およびフィード情報を解析して作成される表示情報の作成に失敗した場合に、そのエラーの内容を表示パネル５０で表示する情報（以下、「エラー表示情報」と称す）の作成に必要な情報を記憶する領域である。なお、エラー情報記憶領域１６ｆには、エラータイトル文字列１４８を作成するための情報、エラー要約文字列１５２を作成するための情報およびエラーＵＲＬ１５４を作成するための情報が記憶されている。ＣＰＵ１４は、失敗を検出した場合に、その失敗を特定し、特定した失敗に対応する上述の情報を、エラー情報記憶領域１６ｆから取得する。なお、以後、エラー情報記憶領域１６ｆに記憶された情報を、エラー情報と称する。
【００３７】
ＲＡＭ１８は、各記憶領域１８ａ〜１８ｅを有する読み書き可能な揮発性のメモリである。基本機能ワーク領域１８ａは、基本機能プログラム１６ａに従って処理が実行される過程で生成される各種データを記憶するための記憶領域である。フィード情報解析ワーク領域１８ｂは、フィード情報解析プログラム１６ｃに従って処理が実行される過程で作成される各種データを記憶するための記憶領域である。
【００３８】
ＰＣ情報記憶領域１８ｃは、ＰＣ起動通知の送信元のＰＣに関する情報を記憶するための記憶領域である。エラー情報追加設定フラグ１８ｄは、ＣＰＵ１４によりエラー表示情報が作成された場合に、そのエラー表示情報を、後述する表示情報記憶領域２０ｄに記憶された表示情報に追加して付加するか、或いは、表示情報記憶領域２０ｄに記憶された表示情報に付加済みのエラー表示情報に上書きして付加するかを設定するフラグである。エラー情報追加設定フラグ１８ｄがオンであれば、ＣＰＵ１４は、エラー表示情報を、表示情報に追加して付加する。一方、エラー情報追加設定フラグ１８ｄがオフであれば、ＣＰＵ１４は、エラー表示情報を、表示情報に付加済みのエラー表示情報に上書きして付加する。なお、エラー情報追加設定フラグ１８ｄのオンオフは、キーパッド５２のユーザによる操作によって設定することができる。
【００３９】
エラー情報消去フラグ１８ｅは、フィード情報が正常に取得され、その取得されたフィード情報から表示情報が正常に作成された場合に（フィード情報の取得失敗および表示情報の作成失敗が発生していない場合に）、表示情報記憶領域２０ｄに記憶された表示情報に付加済みのエラー表示情報を消去するか否かを設定するフラグである。エラー情報消去フラグ１８ｅがオンであれば、ＣＰＵ１４は、表示情報に付加済みのエラー表示情報を消去する。一方、エラー情報消去フラグ１８ｅがオフであれば、ＣＰＵ１４は、表示情報に付加済みのエラー表示情報を消去しない。なお、エラー情報消去フラグ１８ｅのオンオフは、キーパッド５２のユーザによる操作によって設定することができる。
【００４０】
ＮＶＲＡＭ２０は、各記憶領域２０ａ〜２０ｄを有する書き換え可能な不揮発性のメモリである。基本機能パラメータ記憶領域２０ａは、ＣＰＵ１４が、基本機能プログラム１６ａに従って処理を実行する際に利用される各種パラメータ（例えば印刷機能における設定、スキャン機能における設定等）を記憶するための記憶領域である。ＵＲＬ記憶領域２０ｂは、各コンテンツ提供サーバ９０，９１が有するフィード情報の取得先となるＵＲＬを記憶するための記憶領域である。
【００４１】
例えば、ユーザは、各コンテンツ提供サーバ９０，９１からのコンテンツ提供サービスを受けるためのＵＲＬ設定を行なう必要がある。この設定は、多機能機１０を利用して実行してもよいし、ＰＣ７０，７１を利用して実行してもよい。例えば、ユーザがＰＣ７０を利用してコンテンツ提供サーバ９０からのコンテンツ提供サービスを受けるための設定を行なった場合、コンテンツ提供サーバ９０のフィード情報のＵＲＬがＰＣ７０から多機能機１０に送信される。これにより、ＵＲＬ記憶領域２０ｂにコンテンツ提供サーバ９０のフィード情報のＵＲＬが記憶される。
【００４２】
デフォルトＰＣ情報記憶領域２０ｃは、ＰＣのＩＰアドレスやホスト名等のＰＣを識別するための情報を記憶する領域である。ユーザは、所望のＰＣ（例えばＰＣ７０）のＩＰアドレスを多機能機１０に入力することができる。デフォルトＰＣ情報記憶領域２０ｃは、ユーザによって入力されたＩＰアドレスやホスト名を記憶する。
【００４３】
表示情報記憶領域２０ｄは、フィード情報解析プログラム１６ｃに従い、取得されたフィード情報を利用して作成される表示情報を記憶するための記憶領域である。
【００４４】
表示パネル５０は、様々な情報を表示する表示装置である。表示パネル５０の表示画面は、ＰＣ７０，７１が有する表示画面より小さい。なお、表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であると共に、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。スピーカ６４は、電話機能による着信が行われた場合に、鳴動音を出力する放音装置である。
【００４５】
次に、図３を参照して、ＵＲＬ記憶領域２０ｂ（図２参照）の記憶内容について説明する。図３は、ＵＲＬ記憶領域２０ｂの記憶内容の一例を示した図である。ＵＲＬ記憶領域２０ｂは、各コンテンツ提供サーバ９０，９１のフィード情報のＵＲＬ１０２を記憶することが可能である。換言すると、ＵＲＬ記憶領域２０ｂは、各サイトのフィード情報のＵＲＬ１０２を記憶することが可能である。図３の例では、０からｎ−１のｎ個（ｎは１以上の整数）のＵＲＬ１０２が記憶されている。各ＵＲＬ１０２には、識別番号１００が付与されている。本実施形態では、識別番号１００を符号「ｉ」で表現する。
【００４６】
次に、図４を参照して、表示情報記憶領域２０ｄ（図２参照）の記憶内容について説明する。図４は、表示情報記憶領域２０ｄの記憶内容の一例を示した図である。表示情報記憶領域２０ｄは、ＵＲＬ記憶領域２０ｂに記憶されているＵＲＬ毎に表示情報１１２を記憶することが可能である。換言すると、表示情報記憶領域２０ｄは、ＵＲＬ記憶領域２０ｂに記憶されているサイト毎に表示情報１１２を記憶することが可能である。上述したように、ＵＲＬ記憶領域２０ｂには０からｎ−１のｎ個のＵＲＬ１０２が記憶されている（図３参照）。このために、表示情報記憶領域２０ｄにもｎ個の表示情報１１２が記憶されている。なお、ＵＲＬ１０２のいずれかのＵＲＬからフィード情報の取得を行ったものの、その取得に失敗した場合、或いは、取得には成功したものの、その取得したフィード情報から表示情報１１２を作成することに失敗した場合には、そのいずれかのＵＲＬの表示情報１１２にエラー表示情報１３３が付加される。一方、フィード情報が正常に取得され、その取得されたフィード情報から表示情報が正常に作成された場合には、エラー表示情報１３３は、表示情報記憶領域２０ｄに記憶されない。なお、各表示情報１１２には、識別番号１１０が付与されている。本実施形態においては、識別番号１１０を符号「ｉ」で表現する。
【００４７】
次に、個々の表示情報１１２のデータ構成について説明する。まず、フィード情報を解析することで生成されるサイト情報１２０および更新コンテンツ情報１３２について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。フィード更新日時情報１２４は、コンテンツ提供サーバにおいてフィード情報が更新された日時（最新の更新日時）に関する情報である。
【００４８】
また、表示情報１１２は、更新コンテンツ情報１３２を含んでいる。更新コンテンツ情報１３２の数は、サイトが有するコンテンツの数に等しい。例えば、図４では、「ｉ＝０」に対応する表示情報１１２は、０からｍ−２までのｍ−１個（ｍは１以上の整数）の更新コンテンツ情報１３２を有する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施形態では、識別番号１３０を符号「ｊ」
で表現する。
【００４９】
各更新コンテンツ情報１３２は、コンテンツタイトル文字列１４０とコンテンツ更新日時情報１４２とコンテンツ要約文字列１４４とコンテンツＵＲＬ１４６を含んでいる。上述の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。
【００５０】
コンテンツタイトル文字列１４０は、コンテンツのタイトルの文字列である。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。なお、本実施形態においては、多機能機１０は、表示パネル５０に、上述したコンテンツタイトル文字列１４０とコンテンツ更新日時情報１４２とコンテンツ要約文字列１４４とを少なくとも表示する。ただし、多機能機１０は、表示パネル５０に、更にコンテンツＵＲＬ１４６を表示することも可能である。
【００５１】
次に、フィード情報の取得に失敗した場合およびフィード情報を解析して作成される表示情報の作成に失敗した場合に生成されるエラー表示情報１３３について説明する。なお、図４では、「ｉ＝０」に対応する表示情報１１２は、１個のエラー表示情報１３３を有する。表示情報１１２に付加されるエラー表示情報１３３は、エラータイトル文字列１４８とエラー発生日時情報１５０とエラー要約文字列１５２とエラーＵＲＬ１５４を含んでいる。エラータイトル文字列１４８は、エラーのタイトルの文字列である。エラー発生日時情報１５０は、エラーが発生した日時に関する情報である。エラー要約文字列１５２は、発生したエラーの要約（概要）の文字列である。なお、エラー要約文字列１５２は、エラーのタイトルより多い文字列である一方、エラーの詳細を示す情報より少ない文字列となる。エラーＵＲＬ１５４は、発生したエラーの詳細や、そのエラーの解除方法、或いはサポートセンターの電話番号等の情報が記録されているＵＲＬを示す文字列である。
【００５２】
上述した通り、表示情報１１２は、フィード情報から作成されるサイト情報１２０および更新コンテンツ情報１３２を含んでいる。そして、フィード情報の取得に失敗した場合およびフィード情報を解析して作成される表示情報の作成に失敗した場合には、表示情報１１２にエラー表示情報１３３が付加される。なお、本実施形態の多機能機１０においては、表示情報１１２は、合計がｍ個となるまで、更新コンテンツ情報１３２とエラー表示情報１３３とを有することができる。つまり、表示情報１１２には、更新コンテンツ情報１３２とエラー表示情報１３３とを、最大ｍ個、記憶させることができる。よって、フィード情報の取得に複数回失敗した場合やフィード情報を解析して作成される表示情報の作成に複数回失敗した場合には、エラー表示情報１３３が表示情報１１２に複数付加させることも可能である。一方、フィード情報が正常に取得され、その取得されたフィード情報から表示情報が正常に作成された場合には、エラー表示情報１３３が表示情報１１２に付加されない。この場合には、表示情報１１２は、サイト情報１２０と更新コンテンツ情報１３２とを有することになる。
【００５３】
次に、図５を参照して、ＰＣ７０のＣＰＵ７２によって実行されるＰＣメイン処理について説明する。図５は、ＰＣ７０により実行されるＰＣメイン処理を示したフローチャートである。このＰＣメイン処理は、ＰＣ７０が起動（電源オン）されてオペレーションソフト（ＯＳ）が起動し、その後にＯＳによって常駐ソフト７８（図１参照）が起動された場合に、常駐ソフト７８により実行開始される処理である。なお、ＰＣ７１においても、ＰＣメイン処理が実行されるが、その処理はＰＣ７０と同一であるので、説明を省略する。
【００５４】
ＰＣメイン処理では、まず、ＣＰＵ７２は、設定ファイル８０（図１参照）の記憶内容を読み出して（Ｓ１）、設定ファイル８０に情報が記憶されているか否かを判定する（Ｓ２）。本実施形態では、ユーザの入力により設定ファイル８０に予め多機能機１０のＩＰアドレスが記憶されている（多機能機１０を識別することができる情報であればよく、ノード名等でも可能であり、ＩＰアドレスに限定されない）。この場合、ＣＰＵ７２は、設定ファイル８０に情報が記憶されていると判定し（Ｓ２：Ｙｅｓ）、Ｓ３の処理に進む。一方、設定ファイル８０に情報が記憶されていない場合には、ＣＰＵ７２は、設定ファイル８０に情報が記憶されていないと判定し（Ｓ２：Ｎｏ）、ＰＣメイン処理を終了する。
【００５５】
Ｓ３の処理では、ＣＰＵ７２は、多機能機１０にＰＣ起動通知を送信する（Ｓ３）。ＰＣ起動通知は、ＰＣ７０のＩＰアドレスやホスト名を含んでいる。その後、ＣＰＵ７２は、予め決められているポート番号を持つ受信ポートを開く（Ｓ４）。そして、ＣＰＵ７２は、何らかのイベントが発生するまで待機する（Ｓ５）。イベントが発生するとＳ６の処理に進む。Ｓ６の処理では、ＣＰＵ７２は、多機能機１０からのＵＲＬ通知が受信されたか否かを判定する（Ｓ６）。なお、本実施形態においては、多機能機１０の表示パネル５０に、コンテンツタイトル文字列１４０やエラーコンテンツタイトル文字列１４８等が表示されている場合に、ユーザが表示パネル５０に触れ、コンテンツやエラー表示が選択されたと多機能機１０のＣＰＵ１４で判定されると、多機能機１０は、ＰＣ起動通知を受信したＰＣのうち、ユーザが予め選択したＰＣへＵＲＬ通知を送信する。ＣＰＵ７２は、多機能機１０からのＵＲＬ通知が受信されたと判定した場合には（Ｓ６：Ｙｅｓ）、ブラウザプログラムを起動し、受信されたＵＲＬにアクセスする（Ｓ７）。これにより、多機能機１０からのＵＲＬ通知に対応するコンテンツが表示部８２（図１参照）に表示される。よって、ユーザは、表示パネル５０より表示画面が大きい表示部８２で、快適にコンテンツやエラーの詳細を見ることができる。
【００５６】
一方、ＣＰＵ７２は、多機能機１０からのＵＲＬ通知が受信されていないと判定した場合には（Ｓ６：Ｎｏ）、常駐ソフト７８のプログラムを停止することがユーザによって指示されたか否かを判定する（Ｓ８）。例えば、ユーザは、操作部８４に所定の操作を加えることによって、停止の指示をＰＣ７０に入力することができる。この場合、ＣＰＵ７２は、常駐ソフト７８のプログラムを停止することがユーザによって指示されたと判定し（Ｓ８：Ｙｅｓ）、ＰＣメイン処理を終了する。一方、ＣＰＵ７２は、常駐ソフト７８のプログラムを停止することがユーザによって指示されていないと判定した場合には（Ｓ８：Ｎｏ）、イベントに応じた処理を実行し（Ｓ９）、次のイベントが発生するまで待機する（Ｓ５）。
【００５７】
次に、図６〜図１３を参照して、多機能機１０のＣＰＵ１４によって実行される処理について説明する。なお、図６〜図１３の説明の前に、フローチャートに図示していないが、ＣＰＵ１４は、ＰＣ管理プログラム１６ｅ（図２参照）に従って以下の処理を実行する。上述したように、ＰＣ７０，７１は、起動される毎にＰＣ起動通知を多機能機１０に送信する（図５のＳ３参照）。ＣＰＵ１４は、ＰＣ起動通知を受信することを、ネットワークＩ／Ｆ６０を介して監視している。そして、ＣＰＵ１４は、ＰＣ起動通知を受信すると、そのＰＣ起動通知に含まれるＩＰアドレスやホスト名をＰＣ情報記憶領域１８ｃ（図２参照）に記憶させる。
【００５８】
なお、ＰＣ７０，７１は、起動している間はＰＣ起動通知を定期的に多機能機１０に送信する構成としても良い。この構成の場合には、ＰＣ７０，７１が起動停止（電源ＯＦＦ）されると、ＰＣ起動通知が多機能機１０に送信されない。ＣＰＵ１４は、ＰＣ情報記憶領域１８ｃに記憶されているＩＰアドレスやホスト名を有するＰＣからのＰＣ起動通知を所定時間継続して受信しなかった場合に、そのＩＰアドレスやホスト名をＰＣ情報記憶領域１８ｃから消去する。これにより、ＰＣ情報記憶領域１８ｃには、起動しているＰＣに関する情報のみが記憶される。
【００５９】
また、ＰＣ７０，７１は、ＰＣ起動通知を定期的に多機能機１０に送信しない構成でも良い。この構成の場合には、ＰＣ７０，７１は、起動停止される毎に起動停止通知（ＩＰアドレスやホスト名を含む）を多機能機１０に送信しても良い。この構成によっても、ＣＰＵ１４は、ＰＣ７０，７１が起動停止されたことを知ることができる。また、ＣＰＵ１４は、起動停止通知に含まれるＩＰアドレスやホスト名をＰＣ情報記憶領域１８ｃから消去する。これにより、ＰＣ情報記憶領域１８ｃには、起動しているＰＣに関する情報のみが記憶される。
【００６０】
次に、図６を参照して、多機能機１０のＣＰＵ１４によって実行される多機能機フィード情報解析処理について説明する。図６は、多機能機１０により実行される多機能機フィード情報解析処理を示したフローチャートである。多機能機フィード情報解析処理は、多機能機１０の電源がオンされた場合に実行が開始される。そして、この多機能機フィード情報解析処理は、電源オンの期間中、繰り返し実行される。
【００６１】
多機能機フィード情報解析処理では、まず、ＣＰＵ１４は、更新時刻に到達するまで待機する（Ｓ２１）。更新時刻は、例えば、ユーザによって設定されてもよいし、プログラムによって決められていてもよい。更新時刻に到達するとＳ２２に進む。Ｓ２２では、ＣＰＵ１４は、ＵＲＬ記憶領域２０ｂ（図２参照）に記憶されているＵＲＬ数（サイト数）を取得する（Ｓ２２）。図３に示すように、本実施形態では、ＵＲＬ記憶領域２０ｂにｎ個のＵＲＬが記憶されている。このために、ＣＰＵ１４は、Ｓ２２において「ｎ」を取得する。
【００６２】
次いで、ＣＰＵ１４は、カウンタｉを初期化する（Ｓ２３）。ＣＰＵ１４は、カウンタｉがｎより小さいのか否かを判定する（Ｓ２４）。ここで、ＣＰＵ１４は、カウンタｉがｎより小さいと判定すると（Ｓ２４：Ｙｅｓ）、Ｓ２５の処理へ移行する。
【００６３】
Ｓ２５の処理では、ＣＰＵ１４は、ＵＲＬ記憶領域２０ｂからｉ番目のサイトのＵＲＬを取得する（Ｓ２５）。例えば、ゼロ番目のサイトのＵＲＬを取得する場合、図３の例では、「ｈｔｔｐ：／／ｗｗｗ．ｅｘａｍｐｌｅ０．ｃｏｍ」が取得される。次いで、ＣＰＵ１４は、インターネット接続プログラム１６ｂに従って、Ｓ２５の処理で取得されたＵＲＬにアクセスし、フィード情報を取得する（Ｓ２６）。
【００６４】
その後、ＣＰＵ１４は、フィード情報の取得に成功したか否かを判定する（Ｓ２７）。ＣＰＵ１４は、フィード情報の取得に成功したと判定すると（Ｓ２７：Ｙｅｓ）、フィード情報を解析して、図４に示される表示情報１１２（サイト情報１２０および更新コンテンツ情報１３２）を作成する（Ｓ２８）。一方、ＣＰＵ１４は、フィード情報の取得に失敗したと判定すると（Ｓ２７：Ｎｏ）、エラー表示情報１３３を表示情報１１２に付加する処理であるエラー表示情報作成・登録処理へ移行する（Ｓ３１）。
【００６５】
その後、ＣＰＵ１４は、表示情報１１２（サイト情報１２０および更新コンテンツ情報１３２）の作成が成功したか否かを判定する（Ｓ２９）。ＣＰＵ１４は、サイト情報１２０および更新コンテンツ情報１３２の作成に成功したと判定すると（Ｓ２９：Ｙｅｓ）、作成した表示情報１１２サイト情報１２０および更新コンテンツ情報１３２）を表示情報記憶領域２０ｄに記憶させる処理である表示情報登録処理に移行する（Ｓ３０）。一方、ＣＰＵ１４は、サイト情報１２０および更新コンテンツ情報１３２の作成に失敗したと判定すると（Ｓ２９：Ｎｏ）、エラー表示情報作成・登録処理へ移行する（Ｓ３１）。
【００６６】
なお、ＣＰＵ１４は、表示情報登録処理（Ｓ３０）、或いはエラー表示情報作成・登録処理（Ｓ３１）の実行後、カウンタｉに１を加算し（Ｓ３２）、Ｓ２４に戻る。そして、ＣＰＵ１４は、再び、カウンタｉがｎより小さいか否かを判定して、カウンタｉがｎと同じであれば（Ｓ２４：Ｎｏ）、ＵＲＬ記憶領域２０ｂ（図２参照）に記憶されている全てのＵＲＬに対して、Ｓ３０またはＳ３１のいずれかの処理を実行完了したと判定してＳ２１の処理へ戻る。
【００６７】
多機能機フィード情報解析処理を実行することにより、ＣＰＵ１４は、ＵＲＬ記憶領域２０ｂ（図２参照）に記憶されている全てのＵＲＬに対して、表示情報登録処理（Ｓ３０）、またはエラー表示情報作成・登録処理（Ｓ３１）のいずれかの処理を実行することができる。
【００６８】
次に、図７を参照して、多機能機１０のＣＰＵ１４によって実行されるエラー表示情報作成・登録処理について説明する。図７は、多機能機１０により実行されるエラー表示情報作成・登録処理を示したフローチャートである。なお、エラー表示情報作成・登録処理は、フィード情報の取得に失敗した場合、またはフィード情報を解析して作成されるサイト情報１２０および更新コンテンツ情報１３２の作成に失敗した場合に実行される処理である（図６参照）。
【００６９】
エラー表示情報作成・登録処理では、まず、ＣＰＵ１４は、現在のカウンタｉの値を取得し（Ｓ４１）、図示しない多機能機１０に内蔵された時計装置から、現在の日時を取得する（Ｓ４２）。そして、ＣＰＵ１４は、発生したエラーの種別を特定する（Ｓ４３）。このＳ４３の処理でのエラー種別の特定は、Ｓ２７の処理でＣＰＵ１４がＮｏと判定したのか、或いは、Ｓ２９の処理でＣＰＵ１４がＮｏと判定したのかで特定している（図６参照）。具体的には、ＣＰＵ１４は、Ｓ２７の処理でＮｏと判定したのであれば、ＣＰＵ１４は、エラーの種別を、フィード情報の取得に失敗したものと特定する。一方、ＣＰＵ１４は、Ｓ２９の処理でＮｏと判定したのであれば、ＣＰＵ１４は、エラーの種別を、表示情報の作成に失敗したものと特定する。
【００７０】
そして、ＣＰＵ１４は、エラー情報記憶領域１６ｆからエラー種別に対応するエラー情報を取得し（Ｓ４４）、エラー表示情報１３３を作成する（Ｓ４５）。具体的には、ＣＰＵ１４は、エラー情報記憶領域１６ｆから取得したエラー情報から、エラータイトル文字列１４８、エラー要約文字列１５２およびエラーＵＲＬ１５４を作成し、Ｓ４２で取得した日時から、エラー発生日時情報１５０を作成する。
【００７１】
その後、ＣＰＵ１４は、エラー情報追加設定フラグ１８ｄがオンであるかを判定する（Ｓ４６）。ＣＰＵ１４は、エラー情報追加設定フラグ１８ｄがオフであると判定すると（Ｓ４６：Ｎｏ）、Ｓ４５で作成したエラー表示情報１３３を上書きする処理であるＳ４７以降の処理へ移行する。
【００７２】
Ｓ４７の処理では、ＣＰＵ１４は、表示情報記憶領域２０ｄに記憶された現在のカウンタｉの値に対応する表示情報１１２から、日時が最新である情報を取得する（Ｓ４７）。なお、Ｓ４７の処理では、ＣＰＵ１４は、コンテンツ要約日時情報１４２およびエラー発生日時情報１５０の示す日時を検索し、日時が最新である情報、即ち、最新の日時を示すコンテンツ要約日時情報１４２またはエラー発生日時情報１５０のいずれかを取得する。
【００７３】
そして、ＣＰＵ１４は、日時が最新である情報が、エラー発生日時情報１５０であるか否かを判定する（Ｓ４８）。ＣＰＵ１４は、日時が最新である情報が、エラー発生日時情報１５０であると判定すると（Ｓ４８：Ｙｅｓ）、現在のカウンタｉの値に対応する表示情報１１２にエラー表示情報１３３が含まれていると判定する。この理由について説明する。多機能機フィード情報解析処理（図６参照）では、Ｓ２６の処理でフィード情報を取得した後に、エラー表示情報作成・登録処理（Ｓ３１）を実行し、この処理内で、現在の日時を取得した後（Ｓ４２）、エラー表示情報１３３を作成している（Ｓ４５）。よって、エラーの発生した日時は、コンテンツ更新日時情報１４２が示す日時よりも遅くなる、つまり、最新の日時となる。従って、最新の日時を示しているのがエラー発生日時情報１５０であれば、表示情報１１２にエラー表示情報１３３が含まれていると判定できるのである。
【００７４】
ＣＰＵ１４は、日時が最新である情報が、エラー発生日時情報１５０であると判定すると（Ｓ４８：Ｙｅｓ）、現在のカウンタｉの値に対応する表示情報１１２に含まれるエラー表示情報１３３に、Ｓ４５の処理で作成したエラー表示情報１３３を上書きする（Ｓ４９）。その後、ＣＰＵ１４は、エラー表示情報作成・登録処理（Ｓ３１）を終了する。このように、ＣＰＵ１４は、表示情報１１２にエラー表示情報１３３が含まれているかを判定し、エラー表示情報１３３が含まれている場合には、その含まれているエラー表示情報１３３に、Ｓ４５の処理で作成したエラー表示情報１３３を上書きする。よって、エラー表示情報１３３が表示情報１１２内で占有する領域を、１の領域に制限することができる。
【００７５】
Ｓ４８の処理で、ＣＰＵ１４は、日時が最新である情報が、エラー発生日時情報１５０でない、即ち、コンテンツ更新日時情報１４２であると判定すると（Ｓ４８：Ｎｏ）、現在のカウンタｉの値に対応する表示情報１１２にエラー表示情報１３３が含まれていないと判定する。よって、エラー情報追加設定フラグ１８ｄが上書きを指示するオフであっても、Ｓ４５の処理で作成したエラー表示情報１３３を、現在のカウンタｉの値に対応する表示情報１１２に追加することで付加するＳ５０以降の処理へ移行する。よって、エラー表示情報１３３を確実に表示情報１１２に付加することができる。なお、Ｓ４６の処理で、ＣＰＵ１４は、エラー情報追加設定フラグ１８ｄがオンであると判定した場合にも（Ｓ４６：Ｙｅｓ）、Ｓ５０以降の処理へ移行する。
【００７６】
Ｓ５０の処理では、ＣＰＵ１４は、表示情報記憶領域１８ｃに記憶された現在のカウンタｉの値に対応する表示情報１１２に、更新コンテンツ情報１２０およびエラー表示情報１３３を含ませることが可能な、即ち、記憶させることが可能な最大数Ｍａｘを取得する（Ｓ５０）。なお、本実施形態の多機能機１０では、前述の通り、最大数Ｍａｘは、ｍ個（図４参照）である。よって、Ｓ５０の処理では、ｍが最大数Ｍａｘとして取得される。
【００７７】
次に、ＣＰＵ１４は、現在のカウンタｉの値に対応する表示情報１１２に含まれている、即ち、記憶されている更新コンテンツ情報１２０およびエラー表示情報１３３の数である記憶数Ｎｕｍを取得する（Ｓ５１）。例えば、現在のカウンタｉの値に対応する表示情報１１２が、４つの更新コンテンツ情報１３２を記憶すると共に、１つのエラー表示情報１３３を記憶していれば、ＣＰＵ１４が取得する記憶数Ｎｕｍは「５」となる。この場合、Ｓ５１の処理では、「５」がＮｕｍとして取得される。
【００７８】
その後、ＣＰＵ１４は、最大数Ｍａｘが記憶数Ｎｕｍよりも大きいか否かを判定する（Ｓ５２）。ＣＰＵ１４は、最大数Ｍａｘが記憶数Ｎｕｍよりも大きいと判定すると（Ｓ５２：Ｙｅｓ）、Ｓ４５の処理で作成したエラー表示情報を、現在のカウンタｉの値に対応する表示情報１１２に追加しての付加が可能であるので、エラー表示情報１３３を表示情報１１２に追加して付加するＳ５４の処理に移行する。このように、ＣＰＵ１４は、最大数Ｍａｘが記憶数Ｎｕｍよりも大きい場合に、Ｓ４５の処理で作成したエラー表示情報を、現在のカウンタｉの値に対応する表示情報１１２に付加するので、更新コンテンツ情報１２０が不用意に削除されることを防止して、エラー表示情報を表示情報１１２に追加することができる。
【００７９】
一方、ＣＰＵ１４は、最大数Ｍａｘが記憶数Ｎｕｍと同じであると判定すると（Ｓ５２：Ｎｏ）、現在の状態では、Ｓ４５の処理で作成したエラー表示情報を、現在のカウンタｉの値に対応する表示情報１１２に追加できないので、表示情報記憶領域１８ｃに記憶された現在のカウンタｉの値に対応する表示情報１１２から、更新日時が最古である各情報を削除する（Ｓ５３）。このＳ５３の処理では、表示情報１１２に含まれるコンテンツ更新日時情報１４２やエラー発生日時情報１５０から更新日時が最古のものを特定し、その特定したものがコンテンツ更新日時情報１４２であれば、そのコンテンツ更新日時情報１４２が含まれた更新コンテンツ情報１３２を削除する。一方、その特定したものがエラー発生日時情報１５０であれば、そのエラー発生日時情報１５０が含まれたエラー表示情報１３３を削除する。よって、ＣＰＵ１４は、最古の情報、即ち、鮮度が最も低い情報を優先的に削除した上で、エラー表示情報を表示情報１１２に追加することができる。
【００８０】
その後、Ｓ５４の処理で、ＣＰＵ１４は、Ｓ４５の処理で作成したエラー表示情報１３３を、現在のカウンタｉの値に対応する表示情報１１２に追加して付加する（Ｓ５４）。なお、Ｓ５４の処理後、およびＳ４９の処理後、ＣＰＵ１４は、エラー表示情報作成・登録処理を終了する。
【００８１】
上述した通り、エラー表示情報作成・登録処理では、ＣＰＵ１４は、Ｓ４５の処理において、Ｓ４２で取得した日時から、エラー発生日時情報１５０を作成する。そして、エラー発生日時情報１５０を、エラータイトル文字列１４８、エラー要約文字列１５２およびエラーＵＲＬ１５４に加えて、表示情報１１２に付加する。これにより、エラーの発生した日時を、表示パネル５０にスクロール表示させることができる。
【００８２】
次に、図８を参照して、多機能機１０のＣＰＵ１４によって実行される表示情報登録処理について説明する。図８は、多機能機１０により実行される表示情報登録処理を示したフローチャートである。なお、表示情報登録処理は、フィード情報が正常に取得され、その取得されたフィード情報から表示情報が正常に作成された場合に（フィード情報の取得失敗および表示情報の作成失敗が発生していない場合に）、実行される処理である（図６参照）。
【００８３】
表示情報登録処理では、まず、ＣＰＵ１４は、現在のカウンタｉの値に対応する表示情報１１２に、エラー表示情報１３３が含まれているかを、表示情報記憶領域２０ｄを参照して判定する（Ｓ６１）。ＣＰＵ１４は、エラー表示情報１３３が含まれていないと判定すると（Ｓ６１：Ｎｏ）、Ｓ６２およびＳ６３の処理をスキップして、Ｓ６４の処理へ移行する。一方、ＣＰＵ１４は、現在のカウンタｉの値に対応する表示情報１１２に、エラー表示情報１３３が含まれていると判定すると（Ｓ６１：Ｙｅｓ）、エラー情報消去フラグ１８ｅがオンであるか否かを判定する（Ｓ６２）。
【００８４】
そして、ＣＰＵ１４は、エラー情報消去フラグ１８ｅがオンであると判定すると（Ｓ６２：Ｙｅｓ）、現在のカウンタｉの値に対応する表示情報１１２に含まれているエラー表示情報１３３を消去する（Ｓ６３）。これにより、現在のカウンタｉの値に対応する表示情報１１２には、サイト情報１２０および更新コンテンツ情報１３２が記憶されることになる。このように、フィード情報が正常に取得され、その取得されたフィード情報から表示情報１１２が正常に作成された場合には、エラー表示情報１３３を表示情報１１２から消去することで、エラータイトル文字列１４８等が表示パネル５０にスクロール表示され続けることを防止することができる。
【００８５】
その後、ＣＰＵ１４は、現在のカウンタｉの値に対応する表示情報１１２を、Ｓ２８の処理（図６参照）で作成したサイト情報１２０および更新コンテンツ情報１３２を使用して更新する（Ｓ６４）。例えば、現在のカウンタｉがゼロであり、そのカウンタ値ゼロに対応するサイト情報１２０および更新コンテンツ情報１３２がＳ２８の処理で作成された場合、ＣＰＵ１４は、番号「ｉ＝０」に対応づけられている古いサイト情報１２０および更新コンテンツ情報１３２をクリアし、番号「ｉ＝０」に対応づけて新しいサイト情報１２０および更新コンテンツ情報１３２を記憶させる。この処理により、現在のカウンタｉの値に対応する表示情報記憶領域２０ｄに記憶された表示情報１１２が更新される。
【００８６】
一方、ＣＰＵ１４は、エラー情報消去フラグ１８ｅがオフであると判定すると（Ｓ６２：Ｎｏ）、現在のカウンタｉの値に対応する表示情報１１２に含まれているエラー表示情報１３３を残して、Ｓ２８の処理で作成したサイト情報１２０および更新コンテンツ情報１３２を使用して表示情報１１２を更新する（Ｓ６５）。これにより、サイト情報１２０および更新コンテンツ情報１３２を、新しいものに更新する一方、エラー表示情報１３３は、そのまま表示情報１１２に含ませておく（記憶させておく）ことができる。
【００８７】
なお、ＣＰＵ１４は、Ｓ６４またはＳ６５の処理の終了後、この表示情報登録処理を終了して、多機能機フィード情報解析処理（図６参照）へ戻る。
【００８８】
次に、図９を参照して、多機能機１０のＣＰＵ１４が表示情報１１２を表示するための多機能機表示処理について説明する。多機能機表示処理は、独立したタスクとして動作し、フィード情報表示プログラム２４（図２参照）に従って多機能機１０の起動時から実行される。図９は、多機能機表示処理を示したフローチャートである。
【００８９】
多機能機１０は、省電力状態、待機状態、機能実行状態等の複数の状態を有する。省電力状態では、表示パネル５０に何も表示されない（表示パネル５０が消灯している）。省電力状態の間に省電力状態を解除するための操作がキーパッド５２に加えられると、待機状態に移行する。待機状態では、表示パネル５０に機能を選択するための情報が表示される（表示パネル５０が点灯している）。図１４（ａ）に示される図は、機能を選択するためのボタン１６０が表示されている表示パネル５０の一例を示す。ユーザは、ボタン１６０を操作することによって機能実行の指示を多機能機１０に入力することができる。この場合、機能実行状態に移行する。機能実行状態では、表示パネル５０に実行中の機能に関する情報（例えばコピー枚数等）が表示される。なお、省電力状態の間にも機能実行指示が多機能機１０に入力される可能性がある。例えば、ＰＣ７０，７１からの印刷指示が省電力状態の多機能機１０に入力される可能性がある。この場合も、機能実行状態に移行する。
【００９０】
多機能機１０において実行されている機能が終了すると、待機状態に移行する（ただし省電力状態に移行してもよい）。また、待機状態の間に所定時間に亘ってイベント（表示パネル５０やキーパッド５２の操作、ＰＣ７０，７１からの印刷指示等）が発生しない場合、省電力状態に移行する。
【００９１】
ＣＰＵ１４は、省電力状態又は機能実行状態から待機状態に移行するまで待機する（Ｓ７１）。待機状態に移行するとＳ７２に進む。Ｓ７２では、ＣＰＵ１４は、ＮＶＲＡＭ２０のＵＲＬ記憶領域２０ｂ（図２参照）に記憶されているＵＲＬ数（サイト数）を取得する（Ｓ７２）。この処理は、図６のＳ２２の処理と同様である。本実施形態では、ＣＰＵ１４は、Ｓ７２において「ｎ」を取得する。次いで、ＣＰＵ１４は、カウンタｉを初期化する（Ｓ７３）。ＣＰＵ１４は、カウンタｉがｎより小さいのか否かを判定する（Ｓ７４）。ＣＰＵ１４は、カウンタｉがｎより小さいと判定すると（Ｓ７４：Ｙｅｓ）、Ｓ７５に進む。
【００９２】
Ｓ７５では、ＣＰＵ１４は、表示情報記憶領域２０ｄからｉ番目のサイトの表示情報１１２に含まれるサイト情報１２０を取得する。例えば、ゼロ番目のサイトの場合、図４の例では、サイト情報１２０（サイトタイトル文字列１２２とフィード更新日時情報１２４）が取得される。次いで、ＣＰＵ１４は、ｉ番目のサイトの記憶数Ｎｕｍを特定する（Ｓ７６）。例えば、ゼロ番目のサイトの場合、図４の例では、合計ｍ個の情報（更新コンテンツ情報１３２およびエラー表示情報１３３）が記憶されている。この場合、ＣＰＵ１４は、Ｓ７６において「ｍ」を特定する。次いで、ＣＰＵ１４は、カウンタｊを初期化する（Ｓ７７）。ＣＰＵ１４は、カウンタｊがｍより小さいのか否かを判定する（Ｓ７８）。ＣＰＵ１４は、カウンタｊがｍより小さいと判定すると（Ｓ７９：Ｙｅｓ）、Ｓ８０に進む。
【００９３】
Ｓ８０では、ＣＰＵ１４は、表示情報記憶領域２０ｄからｉ番目のサイトのｊ番目の情報（更新コンテンツ情報１３２、またはエラー表示情報１３３のいずれか）を取得する。これにより、１つのコンテンツのコンテンツタイトル文字列１４０、コンテンツ更新日時情報１４２、コンテンツ要約文字列１４４およびコンテンツＵＲＬ１４６、または、１のエラー表示情報のエラータイトル文字列１４８、エラー発生日時情報１５０、エラー要約文字列１５２およびエラーＵＲＬ１５４が取得される。
【００９４】
次いで、ＣＰＵ１４は、Ｓ７５で取得されたサイトタイトル文字列１２２に加え、Ｓ８０で取得されたコンテンツタイトル文字列１４０又はエラータイトル文字列１４８と、Ｓ８０で取得されたコンテンツ更新日時情報１４２又はエラー発生日時情報１５０とを表示パネル５０に送信する（Ｓ８１）。この結果、図１４（ａ）の図に示されるように、コンテンツタイトル文字列１４０やエラータイトル文字列１４８が表示パネル５０で表示される。なお、図１４（ａ）では、Ｓ８０で取得された情報が、エラー表示情報１３３である場合を図示している。よって、図１４（ａ）には、エラータイトル文字列１４８が表示されている。
【００９５】
なお、コンテンツタイトル文字列１４０やエラータイトル文字列１４８は、移動していく（例えば右から左にスクロールしていく）。即ち、コンテンツタイトル文字列１４０やエラータイトル文字列１４８は、テロップ状に表示される。なお、サイトタイトル文字列１２２やコンテンツ更新日時情報１４２は、表示パネル５０で表示されてもよいし、表示されなくてもよい。Ｓ８１を終えると、図１０のＳ９１に進む。
【００９６】
Ｓ９１では、ＣＰＵ１４は、イベントが発生するまで待機する。イベントが発生するとＳ９２に進む。Ｓ９２では、ＣＰＵ１４は、コンテンツタイトル文字列１４０、或いはエラータイトル文字列１４８のスクロール表示が終了したイベントが発生したのか否かを判定する（Ｓ９２）。ＣＰＵ１４は、コンテンツタイトル文字列１４０、或いはエラータイトル文字列１４８のスクロール表示が終了したイベントが発生したと判定すると（Ｓ９２：Ｙｅｓ）、カウンタｊに１を加算し（Ｓ９３）、図９のＳ７８に進む。このＳ７８でカウンタｊがｍより小さいと判定されると（Ｓ７８：Ｙｅｓ）、ＣＰＵ１４は、Ｓ８０，Ｓ８１を再び実行する。これにより、次の情報（例えば１番目の更新コンテンツ情報や２番目のエラー表示情報）に基づいて、コンテンツタイトル文字列１４０やエラータイトル文字列１４８がスクロール表示される。
【００９７】
１つの表示情報１１２に含まれる全ての更新コンテンツ情報１３２およびエラー表示情報１３３に基づいて、コンテンツタイトル文字列１４０およびエラータイトル文字列１４８がスクロール表示されると、ＣＰＵ１４は、カウンタｊがｍと同じと判定する（Ｓ７８：Ｎｏ）。この場合、ＣＰＵ１４は、カウンタｉに１を加算し（Ｓ７９）、次の表示情報１１２（例えば１番目の表示情報１１２）についてＳ７５〜Ｓ８１の処理を実行する。これにより、次の表示情報１１２に含まれる更新コンテンツ情報１３２やエラー表示情報１３３に基づいて、コンテンツタイトル文字列１４０やエラータイトル文字列１４８がスクロール表示される。
【００９８】
ＣＰＵ１４は、コンテンツタイトル文字列１４０、或いはエラータイトル文字列１４８のテロップ表示が終了したイベントは発生していないと判定すると（Ｓ９２：Ｎｏ）、リスト表示要求イベントが発生したのか否かを判定する（Ｓ９４）。図１４（ａ）のようにエラータイトル文字列１４８がスクロール表示されている状態において、ユーザは、エラータイトル文字列１４８をタッチすることができる。ユーザがタッチした場合、ＣＰＵ１４は、リスト表示要求イベントが発生したと判定する（Ｓ９４：Ｙｅｓ）。なお、コンテンツタイトル文字列１４０がスクロール表示されている状態において、ユーザは、エラータイトル文字列１４８と同様にコンテンツタイトル文字列１４０をタッチすることができる。この場合にも、ＣＰＵ１４は、リスト表示要求イベントが発生したと判定する（Ｓ９４：Ｙｅｓ）。
【００９９】
リスト表示要求イベントが発生したと判定した場合（Ｓ９４：Ｙｅｓ）、ＣＰＵ１４は、リスト表示処理を実行する（Ｓ９５）。リスト表示処理の内容については、後で詳しく説明する。リスト表示要求イベントが発生していないと判定した場合（Ｓ９４：Ｎｏ）、ＣＰＵ１４は、機能実行の操作が発生したのか否かを判定する（Ｓ９６）。図１４（ａ）に図示されたいずれかのボタン１６０をユーザは操作することができる。この場合、ＣＰＵ１４は、機能実行の操作が発生したと判定する（Ｓ９６：Ｙｅｓ）。すると、ＣＰＵ１４は、操作されたボタン１６０に対応する処理（例えばＦＡＸ送信処理、スキャン処理、コピー処理等）を実行する。この場合、多機能機１０が機能実行状態に移行し、表示パネル５０では実行中の機能に関する情報が表示される。そして、ＣＰＵ１４は、図９のＳ７１に戻って、待機状態に移行するまで待機する。一方、機能実行の操作が発生していないと判定すると（Ｓ９６：Ｎｏ）、ＣＰＵ１４は、イベントに応じた処理を実行し、Ｓ９１に戻って、イベントが発生するまで待機する。
【０１００】
次に、図１１を参照して、図１０のＳ９５の処理で実行されるリスト表示処理について説明する。図１１は、リスト表示処理のフローチャートを示した図である。ＣＰＵ１４は、表示情報記憶領域２０ｄからｉ番目の表示情報１１２に含まれる全ての更新コンテンツ情報１３２およびエラー表示情報１３３を取得する（Ｓ１０１）。例えば、ゼロ番目の表示情報１１２の場合、図４の例では、合計ｍ個の更新コンテンツ情報１３２およびエラー表示情報１３３を含んでいる。この場合、Ｓ１０１において、合計ｍ個の更新コンテンツ情報１３２およびエラー表示情報１３３が取得される。
【０１０１】
次いで、ＣＰＵ１４は、Ｓ７５で取得されたサイトタイトル文字列１２２と、Ｓ１０１で取得された更新コンテンツ情報１３２およびエラー表示情報１３３に含まれる情報を用いてリストデータを作成する（Ｓ１０２）。具体的には、各コンテンツタイトル文字列１４０と各コンテンツ更新日時情報１４２とに加え、エラー表示情報１３３が含まれる場合には、各エラータイトル文字列１４８とエラー発生日時情報１５０とを含むリストデータを作成する。
【０１０２】
その後、ＣＰＵ１４は、Ｓ１０２で作成されたリストデータを表示パネル５０に送信する（Ｓ１０３）。この結果、図１４（ｂ）に示されるように、リスト１７０が表示パネル５０で表示される。リスト１７０は、各エラー表示や各コンテンツのそれぞれについて、当該エラー表示に含まれる各エラータイトル文字列１４８およびエラー発生日時情報１５０や当該コンテンツのコンテンツタイトル文字列１４０およびコンテンツ更新日時情報１４２を含んでいる。図１４（ｂ）の例では、発生したエラーについて、例えば、エラー発生日時情報「２００８／１／１  １９：３０」およびエラータイトル文字列「ＲＳＳ  ｆｅｅｄ  ｄｏｗｎｌｏａｄ  ｆａｉｌｅｄ」が表示されている。また、スポーツに関するコンテンツについて、コンテンツ更新日時情報「２００８／１／１  １４：３２」とコンテンツタイトル文字列「Ｓｐｏｒｔ・・・」とが表示されている。また、この例では、サイトタイトル文字列１２０も表示されている。ＣＰＵ１４は、Ｓ１０３を終えると、Ｓ１０４に進む。
【０１０３】
Ｓ１０４では、ＣＰＵ１４は、イベントが発生するまで待機する。イベントが発生するとＳ１０５に進む。Ｓ１０５では、ＣＰＵ１４は、情報選択操作に関するイベントが発生したのか否かを判定する（Ｓ１０５）。図１４（ｂ）のようにリスト１７０が表示されている状態において、ユーザは、１つのエラータイトル文字列１４８をタッチすることができる。ユーザがタッチした場合、ＣＰＵ１４は、情報選択操作に関するイベントが発生したと判定する（Ｓ１０５：Ｙｅｓ）。なお、リスト１７０が表示されている状態において、ユーザは、１つのコンテンツタイトル文字列１４０をタッチすることができる。ユーザがタッチした場合、上述と同様に、ＣＰＵ１４は、情報選択操作に関するイベントが発生したと判定する（Ｓ１０５：Ｙｅｓ）。そして、ＣＰＵ１４は、コンテンツ表示処理を実行する（Ｓ１０６）。コンテンツ表示処理の内容については、後で詳しく説明する。
【０１０４】
Ｓ１０５の処理で、ＣＰＵ１４は、情報選択操作に関するイベントが発生していないと判定すると（Ｓ１０５：Ｎｏ）、リスト表示を終了する指示が入力されたのか否かを判定する（Ｓ１０７）。図１４（ｂ）に示すようにリスト１７０が表示されている状態において、ユーザは、ボタン１７４をタッチすることができる。この場合、ＣＰＵ１４は、リスト表示を終了する指示が入力されたと判定する（Ｓ１０７：Ｙｅｓ）。この場合、ＣＰＵ１４は、リスト表示処理を終了し、図９のＳ７８に戻る。一方、リスト表示を終了する指示が入力されていないと判定すると（Ｓ１０７：Ｎｏ）、ＣＰＵ１４は、イベントに応じた処理を実行し、Ｓ１０４に戻って、イベントが発生するまで待機する。
【０１０５】
次に、図１２を参照して、図１１のＳ１０６の処理で実行されるコンテンツ表示処理について説明する。図１２は、コンテンツ表示処理のフローチャートを示した図である。ＣＰＵ１４は、表示情報記憶領域２０ｄからｉ番目の表示情報１１２に含まれる情報のうち、Ｓ１０５で選択されたコンテンツまたはエラー表示に関係する情報を使用して、表示データを作成する（Ｓ１１１）。この表示データは、Ｓ１０５でコンテンツが選択された場合には、サイトタイトル文字列１２２と、コンテンツタイトル文字列１４０と、コンテンツ更新日時情報１４２と、コンテンツ要約文字列１４４とを含んだデータとなる。一方、表示データは、Ｓ１０５でエラー表示が選択された場合には、サイトタイトル文字列１２２と、エラータイトル文字列１４８と、エラー発生日時情報１５０と、エラー要約文字列１５２とを含んだデータとなる。
【０１０６】
その後、ＣＰＵ１４は、ＰＣ情報記憶領域１８ｃ（図２参照）の記憶内容を読み出す（Ｓ１１２）。そして、ＣＰＵ１４は、ＰＣ情報記憶領域１８ｃに情報が記憶されているのか否かを判定する（Ｓ１１３）。ＰＣ情報記憶領域１８ｃに情報が記憶されていないと判定すると（Ｓ１１３：Ｙｅｓ）、ＣＰＵ１４は、起動中のＰＣ数がゼロと判定して、Ｓ１１４に進む。
【０１０７】
Ｓ１１４では、ＣＰＵ１４は、Ｓ１１１で作成された表示データを表示パネル５０に送信する（Ｓ１１４）。この結果、図１４（ｃ）に示される画面が表示パネル５０に表示される。図１４（ｃ）の画面は、サイトタイトル文字列１２０と、エラー要約文字列１５２とを含んでいる。なお、図１４（ｃ）では、Ｓ１０５でエラー表示が選択された場合にＳ１１１で作成された表示データを示している。
【０１０８】
また、図１４（ｃ）の画面は、さらに、ＰＣＶｉｅｗボタン１８６を含んでいる。ＰＣＶｉｅｗボタン１８６がユーザによって操作されると、ＣＰＵ１４は、後述する図１３のＳ１２５以降の処理を実行する。しかし、ＣＰＵ１４は、Ｓ１１３の処理で、起動中のＰＣ数がゼロと判定しているので、図１４（ｃ）の画面では、ＰＣＶｉｅｗボタン１８６をグレーアウトして、Ｖｉｅｗボタン１８６の押下を受け付けない設定にしている。よって、ＣＰＵ１４は、Ｓ１１４の処理後、Ｓ１２５以降の処理を実行せずに、情報表示の終了イベント（終了ボタンの操作）が発生するまで待機する（Ｓ１１５）。
【０１０９】
Ｓ１１３の処理で、ＰＣ情報記憶領域１８ｃに情報が記憶されていると判定すると（Ｓ１１３：Ｎｏ）、ＣＰＵ１４は、図１３のＳ１２１に進む。Ｓ１２１では、ＣＰＵ１４は、Ｓ１１１で作成された表示データを表示パネル５０に送信する。この結果、図１４（ｄ）に示される画面が表示パネル５０に表示される。この図１４（ｄ）の画面は、図１４（ｃ）と同様の画面であるが、ＰＣＶｉｅｗボタン１８６が、グレーアウトされておらず、通常の表示形態を有する。Ｓ１２１では、ＣＰＵ１４は、ＰＣＶｉｅｗボタン１８６を通常の表示形態で表示させる属性情報を表示データに付加し、その表示データを表示パネル５０に送信する。Ｓ１２１を終えると、ＣＰＵ１４は、Ｓ１２２に進む。
【０１１０】
Ｓ１２２では、ＣＰＵ１４は、イベントが発生するまで待機する。イベントが発生するとＳ１２３に進む。Ｓ１２３では、ＣＰＵ１４は、ＰＣＶｉｅｗボタン１８６が操作されたのか否かを判定する（Ｓ１２３）。ＣＰＵ１４は、ＰＣＶｉｅｗボタン１８６が操作されていないと判定すると（Ｓ１２３：Ｎｏ）、情報表示の終了イベント（終了ボタンの操作）が発生したのか否かを判定する（Ｓ１２４）。ＣＰＵ１４は、情報表示の終了イベント（終了ボタンの操作）が発生したと判定すると（Ｓ１２４：Ｙｅｓ）、コンテンツ表示処理を終了する。
【０１１１】
一方、ＣＰＵ１４は、情報表示の終了イベント（終了ボタンの操作）が発生していないと判定すると（Ｓ１２４：Ｎｏ）、イベントに応じた処理を実行し、Ｓ１２２に戻る。また、ＣＰＵ１４は、ＰＣＶｉｅｗボタン１８６が操作されたと判定すると（Ｓ１２３：Ｙｅｓ）、デフォルトＰＣ情報記憶領域２０ｃ（図２参照）の記憶内容を読み出す（Ｓ１２５）。そして、ＣＰＵ１４は、デフォルトＰＣ情報記憶領域２０ｃに情報が記憶されているのか否かを判定する（Ｓ１２６）。ＣＰＵ１４は、デフォルトＰＣ情報記憶領域２０ｃに情報が記憶されていると判定すると（Ｓ１２６：Ｙｅｓ）、Ｓ１２７に進む。一方、ＣＰＵ１４は、デフォルトＰＣ情報記憶領域２０ｃに情報が記憶されていないと判定すると（Ｓ１２６：Ｎｏ）、Ｓ１２９に進む。
【０１１２】
Ｓ１２７では、ＣＰＵ１４は、デフォルトＰＣ情報記憶領域２０ｃに記憶されているＩＰアドレスやホスト名が、ＰＣ情報記憶領域１８ｃに記憶されているのか否かを判定する（Ｓ１２７）。即ち、ＣＰＵ１４は、デフォルトＰＣ情報記憶領域２０ｃに記憶されているＰＣが起動しているのか否かを判定する。
【０１１３】
ＣＰＵ１４は、デフォルトＰＣ情報記憶領域２０ｃに記憶されているＩＰアドレスやホスト名が、ＰＣ情報記憶領域１８ｃに記憶されていると判定すると（Ｓ１２７：Ｙｅｓ）、図１１のＳ１０５で選択されたコンテンツのコンテンツＵＲＬ１４６、またはＳ１０５で選択されたエラー表示のエラーＵＲＬ１５４（図４参照）を特定する（Ｓ１２８）。次いで、ＣＰＵ１４は、デフォルトＰＣ情報記憶領域２０ｃに記憶されているＩＰアドレスを送信先としてコンテンツＵＲＬ１４６またはエラーＵＲＬ１５４のいずれかを送信する（Ｓ１２８）。この結果、コンテンツＵＲＬ１４６またはエラーＵＲＬ１５４の送信先のＰＣ（例えばＰＣ７０）は、図５のＳ６の処理でＹＥＳと判定し、送信されたコンテンツＵＲＬ１４６またはエラーＵＲＬ１５４にアクセスしてコンテンツを表示する。Ｓ１２８を終えると、コンテンツ表示処理が終了する。ここで、エラーＵＲＬ１５４のコンテンツには、発生したエラーの詳細や、そのエラーの解除方法、或いはサポートセンターの電話番号等の情報が記録されている。よって、ユーザは、エラーＵＲＬ１５４にアクセスすることで、上述の情報を得ることができる。
【０１１４】
一方、ＣＰＵ１４は、デフォルトＰＣ情報記憶領域２０ｃに記憶されているＩＰアドレスやホスト名が、ＰＣ情報記憶領域１８ｃに記憶されていないと判定すると（Ｓ１２７：Ｎｏ）、ＰＣ情報記憶領域１８ｃに記憶されている各ＰＣに関する情報のリストを作成する（Ｓ１２９）。本実施形態では、ＣＰＵ１４は、ＰＣ情報記憶領域１８ｃに記憶されている各ＰＣのホスト名のリストを作成する。ＣＰＵ１４は、リストを表示パネル５０に送信する。Ｓ１２９を終えると、ＣＰＵ１４は、Ｓ１３０に進む。
【０１１５】
Ｓ１３０では、ＣＰＵ１４は、イベントが発生するまで待機する。イベントが発生するとＳ１３１に進む。Ｓ１３１では、ＣＰＵ１４は、ＰＣ選択操作が操作されたのか否かを判定する（Ｓ１３１）。具体的には、表示パネル５０にＳ１２９で作成されたリストが表示されている状態において、ユーザは、１つのＰＣ（ホスト名）をタッチすることができる。この場合、ＣＰＵ１４は、ＰＣ選択操作が操作されたと判定し（Ｓ１３１：Ｙｅｓ）、図１１のＳ１０５で選択されたコンテンツのコンテンツＵＲＬ１４６、またはＳ１０５で選択されたエラー表示のエラーＵＲＬ１５４（図４参照）を特定する（Ｓ１３２）。次いで、ＣＰＵ１４は、Ｓ１３１で選択されたＰＣのＩＰアドレスを送信先としてコンテンツＵＲＬ１４６またはエラーＵＲＬ１５４を送信する。この結果、コンテンツＵＲＬ１４６またはエラーＵＲＬ１５４の送信先のＰＣ（例えばＰＣ７０）は、図５のＳ６の処理でＹＥＳと判定し、送信されたコンテンツＵＲＬ１４６またはエラーＵＲＬ１５４にアクセスしてコンテンツを表示する。Ｓ１３２を終えると、コンテンツ表示処理が終了する。
【０１１６】
Ｓ１３１の処理で、ＣＰＵ１４は、ＰＣ選択操作が操作されていないと判定した場合には（Ｓ１３１：Ｎｏ）、表示を終了する指示が入力されたのか否かを判定する（Ｓ１３３）。具体的には、表示パネル５０にＳ１２９で作成されたリストが表示されている状態において、ユーザが表示終了を指示するボタンを押下した場合には、ＣＰＵ１４は、表示を終了する指示が入力されたと判定する（Ｓ１３３：Ｙｅｓ）。この場合、ＣＰＵ１４は、コンテンツ表示処理を終了する。一方、表示を終了する指示が入力されていないと判定した場合には（Ｓ１３３：Ｎｏ）、イベントに応じた処理を実行し、Ｓ１３０に戻って、イベントが発生するまで待機する。
【０１１７】
上述した通り、多機能機表示処理では、多機能機１０の表示パネル５０が小さいために、コンテンツの全体やエラーの解除方法等を表示するのは難しい。多機能機１０は、Ｓ１２８又はＳ１３２の処理において、ユーザによって選択されたコンテンツのコンテンツＵＲＬ１４６或いはエラー表示情報のエラーＵＲＬ１５４をＰＣ（例えばＰＣ７０）に送信する。これにより、ＰＣ７０の表示部８２においてコンテンツが表示される。多機能機１０の表示パネル５０よりもＰＣ７０，７１の表示部８２の方が大きい。ユーザは、大きい表示部８２においてコンテンツの全体を見ることができる。ＰＣ７０，７１においてコンテンツを表示することができるために、多機能機１０でコンテンツを表示する必要がない。このために、多機能機１０にブラウザプログラムを搭載する必要がない。
【０１１８】
また、多機能機表示処理では、多機能機１０は、起動しているＰＣにコンテンツＵＲＬ１４６やエラーＵＲＬ１５４を送信することができる。つまり、起動していないＰＣにコンテンツＵＲＬ１４６やエラーＵＲＬ１５４が送信される事態が発生することを防止することができる。また、ユーザは、デフォルトＰＣ情報記憶領域２０ｃに所望のＰＣ（例えば自身が使用するＰＣ）に関する情報を記憶させておくことができる。多機能機１０は、デフォルトＰＣ情報記憶領域２０ｃに記憶されているＰＣが起動している場合には、そのＰＣにコンテンツＵＲＬ１４６やエラーＵＲＬ１５４を送信する。即ち、ユーザによって予め決められたＰＣに優先的にコンテンツＵＲＬ１４６やエラーＵＲＬ１５４が送信される。よって、ユーザに改めて所望のＰＣを選択させる手間を省くことができる。
【０１１９】
また、多機能機表示処理では、デフォルトＰＣ情報記憶領域２０ｃに記憶されているＰＣが起動していない場合（もしくはデフォルトＰＣ情報記憶領域２０ｃにＰＣが記憶されていない場合）には、起動しているＰＣの中からユーザが所望のＰＣを、Ｓ１２９で作成したリストを用いて選択することができる。そして、ユーザによって選択されたＰＣにコンテンツＵＲＬ１４６やエラーＵＲＬ１５４が送信される。よって、ユーザが望んでいないＰＣにコンテンツＵＲＬ１４６が送信されるという事象が発生するのを防止することができる。
【０１２０】
以上、上述した通り、本実施形態の多機能機１０によれば、フィード情報の取得に失敗した場合およびフィード情報を解析して作成される表示情報の作成に失敗した場合には、それらの失敗を示すエラーの内容（エラータイトル文字列１４８、エラー発生日時情報１５０、エラー要約文字列１５２およびエラーＵＲＬ１５４）を、表示情報１１２に付加する。よって、更新コンテンツ情報１３２に含まれる各情報と共に、エラーの内容を、表示パネル５０にスクロール表示ことができる。従って、多機能機１０の使用中に上述した失敗に起因するエラーが発生し、エラーの内容が表示されても、ユーザは、更新コンテンツ情報１３２に含まれる各情報を視認することができる。
【０１２１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２２】
本実施形態の多機能機１０では、エラー表示情報１３３を、フィード情報の取得に失敗した場合およびフィード情報を解析して作成される表示情報の作成に失敗した場合に作成したが、これに限られるものではない。即ち、印刷機能、スキャナ機能、電話機能等を使用しているときに、多機能機１０でエラーが発生した場合には、その発生したエラーの内容を表示パネル５０にスクロール表示させても良い。この構成の場合には、上述の機能を使用しているときに発生したエラーの内容を特定する特定装置を設け、特定装置が特定するエラーの内容を表示パネル５０で表示するための情報を、エラー情報記憶領域１６ｆに記憶させれば良い。この構成によれば、フィード情報の取得に失敗した場合およびフィード情報を解析して作成される表示情報の作成に失敗した場合に加え、より広範囲のエラーに対するエラー表示情報１３３を作成し、表示パネル５０にスクロール表示させることができる。
【０１２３】
また、本実施形態においては、エラー表示情報作成・登録処理のＳ５３の処理で、表示情報１１２に含まれるコンテンツ更新日時情報１４２やエラー発生日時情報１５０から更新日時が最古のものを特定し、その特定したものがコンテンツ更新日時情報１４２であれば、そのコンテンツ更新日時情報１４２が含まれた更新コンテンツ情報１３２を削除する一方、その特定したものがエラー発生日時情報１５０であれば、そのエラー発生日時情報１５０が含まれたエラー表示情報１３３を削除したが、これに限られるものではない。即ち、Ｓ５３の処理において、表示情報１１２に含まれるコンテンツ更新日時情報１４２やエラー発生日時情報１５０から更新日時が最古のものを特定した後に、その特定した更新日時と同一の日付であるコンテンツ更新日時情報１４２やエラー発生日時情報１５０を抽出し、抽出したコンテンツ更新日時情報１４２が含まれる更新コンテンツ情報１３２や、抽出したエラー発生日時情報１５０が含まれるエラー表示情報１３３を、更新日時が最古である更新コンテンツ情報１３２やエラー表示情報１３３に加えて削除しても良い。この場合には、特定した更新日時と同一の日付である更新コンテンツ情報１３２やエラー表示情報１３３を、更新日時が最古である更新コンテンツ情報１３２やエラー表示情報１３３と共に、一括して削除することができる。
【０１２４】
また、本実施形態においては、各コンテンツのタイトルを表示する対象を多機能機１０としたが、これに限られるものではない。即ち、各コンテンツのタイトルを表示する対象を、スキャナ装置、プリンタ装置、或いは電話機等、表示パネル５０が搭載可能である装置としても良い。この構成の場合には、スキャナ装置、プリンタ装置、或いは電話機に設けられた表示パネル５０に、各コンテンツのタイトルを表示することができる。
【０１２５】
また、本実施形態の画像形成システム１では、多機能機１０と、ＰＣ７０，７１とは、ケーブルにて（有線にて）、互いに接続されていたが、これに限られるものではない。即ち、多機能機１０およびＰＣ７０，７１の各々に無線通信インターフェイスを設け、その無線通信インターフェイスを用いて、多機能機１０とＰＣ７０，７１とを無線通信によって電気的に接続しても良い。
【０１２６】
また、本実施形態においては、各コンテンツ提供サーバ９０，９１は、コンテンツとフィード情報の両方を記憶していたが、これに限られるものではなく、コンテンツを記憶するためのサーバとフィード情報を記憶するためのサーバが別体に構成されていてもよい。
【０１２７】
また、本実施形態においては、多機能機１０は、ブラウザプログラムを有していなかったが、これに限られるものではなく、多機能機１０は、ブラウザプログラムを有していてもよい。この構成の場合には、多機能機１０は、コンテンツをダウンロードして表示パネル５０で表示することができる。
【図面の簡単な説明】
【０１２８】
【図１】本発明の一実施形態における多機能機システムの概略を示した図である。
【図２】多機能機の電気的構成を示すブロック図である。
【図３】ＵＲＬ記憶領域の記憶内容の一例を示した図である。
【図４】表示情報記憶領域の記憶内容の一例を示した図である。
【図５】ＰＣにより実行されるＰＣメイン処理を示したフローチャートである。
【図６】多機能機により実行される多機能機フィード情報解析処理を示したフローチャートである。
【図７】多機能機により実行されるエラー表示情報作成・登録処理を示したフローチャートである。
【図８】多機能機により実行される表示情報登録処理を示したフローチャートである。
【図９】多機能機で実行される多機能機表示処理の一部を示したフローチャートである。
【図１０】多機能機で実行される多機能機表示処理の一部を示したフローチャートである。
【図１１】多機能機で実行されるリスト表示処理を示したフローチャートである。
【図１２】多機能機で実行されるコンテンツ表示処理の一部を示したフローチャートである。
【図１３】多機能機で実行されるコンテンツ表示処理の一部を示したフローチャートである。
【図１４】（ａ）は、機能を選択するためのボタンが表示されている表示パネルの一例であり、（ｂ）は、リストが表示されている表示パネルの一例であり、（ｃ）および（ｄ）は、Ｓ１０５でエラー表示が選択された場合にＳ１１１で作成された表示データが表示されている表示パネルの一例である。
【符号の説明】
【０１２９】
２            多機能機システム
１０          多機能機（通信装置の一例）
１６ｂ        インターネット接続プログラム（要約情報取得手段の一例）
１６ｆ        エラー情報記憶領域（エラー内容記憶手段の一例）
１８ｄ        エラー情報追加設定フラグ（記憶受付手段の一例）
１８ｅ        エラー情報消去フラグ（受付手段の一例）
２０ｂ        ＵＲＬ記憶領域（位置情報記憶手段の一例）
２０ｄ        表示情報記憶領域（要約情報記憶手段の一例）
５０          表示パネル（タイトル表示手段の一例）
Ｓ４３        エラー表示情報作成・登録処理（特定手段の一例）
Ｓ４４        エラー表示情報作成・登録処理（エラー内容取得手段の一例）
Ｓ４７        エラー表示情報作成・登録処理（記憶判定手段の一部の一例、最新日時特定手段の一例）
Ｓ４８        エラー表示情報作成・登録処理（記憶判定手段の一部の一例、内容判定手段の一例）
Ｓ４８：Ｎｏ      エラー表示情報作成・登録処理（変更制御手段の一例）
Ｓ４９        エラー表示情報作成・登録処理（上書記憶手段の一例）
Ｓ５２        エラー表示情報作成・登録処理（最大数判定手段の一例）
Ｓ５３        エラー表示情報作成・登録処理（最古特定手段の一例、削除手段の一例）
Ｓ５４        エラー表示情報作成・登録処理（追加記憶手段の一例、対応追加記憶手段の一例、削除記憶手段の一例）
Ｓ６１        表示情報登録処理（エラー記憶判定手段の一例）
Ｓ６３        表示情報登録処理（消去手段の一例）
エラー表示情報作成・登録処理（検出手段の一例、制御手段の一例）
【図１】
2010087906.tif 000003
【図２】
2010087906.tif 000004
【図３】
2010087906.tif 000005
【図４】
2010087906.tif 000006
【図５】
2010087906.tif 000007
【図６】
2010087906.tif 000008
【図７】
2010087906.tif 000009
【図８】
2010087906.tif 000010
【図９】
2010087906.tif 000011
【図１０】
2010087906.tif 000012
【図１１】
2010087906.tif 000013
【図１２】
2010087906.tif 000014
【図１３】
2010087906.tif 000015
【図１４】
2010087906.tif 000016